(57)【要約】【課題】比較的大きな粒径の骨補填材を補填する際の作業性を向上し、関節部付近の骨欠損部にもスムーズに補填する。【解決手段】骨欠損部Ｂに一端４ａが挿入配置される略円筒状の挿入部４と、該挿入部４の他端から先端に向かって漸次拡径するテーパ状部５とを備える漏斗部材２と、該漏斗部材２に着脱可能に取り付けられる把持部材３とを備える補填材補填器具１を提供する。【選択図】図１
2009247694.tif 000002
【特許請求の範囲】
【請求項１】
骨欠損部に一端が挿入配置される略円筒状の挿入部と、該挿入部の他端から先端に向かって漸次拡径するテーパ状部とを備える漏斗部材と、
該漏斗部材に着脱可能に取り付けられる把持部材とを備える補填材補填器具。
【請求項２】
前記漏斗部材が、Ｘ線透過可能な材質により構成されている請求項１に記載の補填材補填器具。
【請求項３】
前記挿入部の前記一端が、長手方向に直交する方向に対して傾斜している請求項１または請求項２に記載の補填材補填器具。
【請求項４】
前記把持部材が、前記漏斗部材のテーパ状部の最大径より小さい内径寸法を有する略環状に形成され前記テーパ状部の外縁を軸方向に挟持可能な一対の把持部と、各把持部から半径方向外方に延び、その途中位置でシャフトにより揺動可能に連結された一対のハンドル部とを備え、
前記挿入部側に配置される前記把持部が、前記挿入部の外径寸法より若干大きな切欠により一部が切り欠かれた形状を有する請求項１から請求項３のいずれかに記載の補填材補填器具。
【請求項５】
前記把持部材の少なくとも前記把持部が、Ｘ線透過可能な材質により構成されている請求項４に記載の補填材補填器具。
【発明の詳細な説明】
【技術分野】
【０００１】
本発明は、骨欠損部に顆粒状の骨補填材を補填する際に使用される補填材補填器具に関するものである。
【背景技術】
【０００２】
従来、骨補填材として、良好な骨置換を呈するβリン酸三カルシウム多孔体の顆粒を骨欠損部に補填する場合に、顆粒が飛散して周囲の組織に付着する不都合を防止するために、血液や水のような液体と混合して、筒状の補填器具により補填することが行われている（例えば、特許文献１参照。）。
【０００３】
【特許文献１】特開２００５−２５３８２９号公報
【発明の開示】
【発明が解決しようとする課題】
【０００４】
しかしながら、βリン酸三カルシウム多孔体の顆粒を関節部付近の骨欠損部に補填する場合には、顆粒が関節部に流入しないように、比較的大きな粒径の顆粒が使用される。このため、特許文献１に示されるような補填器具では、細かい顆粒には適しているが、大きな顆粒では詰まってしまい、スムーズに補填することができないという不都合がある。
【０００５】
本発明は上述した事情に鑑みてなされたものであって、比較的大きな粒径の骨補填材を補填する際の作業性を向上し、関節部付近の骨欠損部にもスムーズに補填することができる補填材補填器具を提供することを目的としている。
【課題を解決するための手段】
【０００６】
上記目的を達成するために、本発明は以下の手段を提供する。
本発明は、骨欠損部に一端を挿入配置される略円筒状の挿入部と、該挿入部の他端から先端に向かって漸次拡径するテーパ状部とを備える漏斗部材と、該漏斗部材に着脱可能に取り付けられる把持部材とを備える補填材補填器具を提供する。
【０００７】
本発明によれば、漏斗部材の一端の挿入部を骨欠損部に挿入配置し、テーパ状部側から骨補填材を投入することにより、比較的大きな骨補填材であっても挿入部に詰まらせることなく骨欠損部に補填することができる。漏斗部材には把持部材が着脱可能に取り付けられている把持部材を取り付けた状態で把持部材を操作し、漏斗部材の挿入深さや挿入角度等の位置調整を行うことができる。また、位置調整された後には、把持部材を漏斗部材から取り外すことにより、術中に併用される固定用のピン等との把持部材の干渉を防止し、術部近辺をすっきりさせることができる。また、把持部材を漏斗部材から取り外すことで、重量バランスを改善し、手を離しても漏斗部材を術部に安定して留置することができる。その結果、補填作業に両手を使用することが可能となり、作業性を向上することができる。
【０００８】
上記発明においては、前記漏斗部材が、Ｘ線透過可能な材質により構成されていることが好ましい。
このようにすることで、漏斗部材を術部に留置した状態でＸ線観察を行う場合においても、漏斗部材が視界を遮ることがなく、漏斗部材を透過して内部の骨欠損部や骨補填材の状態を鮮明に確認することが可能となる。
【０００９】
また、上記発明においては、前記挿入部の前記一端が、長手方向に直交する方向に対して傾斜していてもよい。
このようにすることで、漏斗部材を軸線回りに回転させて傾斜方向を変更することにより、骨補填材の補填方向を簡易に調節することができる。
【００１０】
また、上記発明においては、前記把持部材が、前記漏斗部材のテーパ状部の最大径より小さい内径寸法を有する略環状に形成され前記テーパ状部の外縁を軸方向に挟持可能な一対の把持部と、各把持部から半径方向外方に延び、その途中位置でシャフトにより揺動可能に連結された一対のハンドル部とを備え、前記挿入部側に配置される前記把持部が、前記挿入部の外径寸法より若干大きな切欠により一部が切り欠かれた形状を有することとしてもよい。
【００１１】
このようにすることで、ハンドル部を操作して、一対の略環状の把持部を相互に近接させて、漏斗部材のテーパ状部の外縁を軸方向に挟持することにより、把持部材を漏斗部材に確実に固定することができる。また、挿入部側の把持部には切欠が設けられているので、把持部を挿入部の先端側から挿入しなくても、挿入部の長手方向の途中位置で挿脱させることができる。したがって、漏斗部材を術部に留置した状態のままで、挿入部を切欠に通過させて把持部材を漏斗部材から取り外すことができる。また、把持部が略環状に形成されているので、ハンドル部に加える把持力を緩めても、把持部材を漏斗部材に取付状態に維持することができ、作業者の意思に反して外れてしまうことを防止することができる。
【００１２】
また、上記発明においては、前記把持部材の少なくとも前記把持部が、Ｘ線透過可能な材質により構成されていることが好ましい。
このようにすることで、漏斗部材に把持部材を取り付けた状態においても、把持部によってＸ線観察の視野が遮られることを防止することができる。
【発明の効果】
【００１３】
本発明によれば、比較的大きな粒径の骨補填材を補填する際の作業性を向上し、関節部付近の骨欠損部にもスムーズに補填することができるという効果を奏する。
【発明を実施するための最良の形態】
【００１４】
本発明の一実施形態に係る補填材補填器具１について、図１〜図５を参照して以下に説明する。
本実施形態に係る補填材補填器具１は、図１に示されるように、漏斗部材２と把持部材３とを備えている。
【００１５】
漏斗部材２は、円筒状の挿入部４と、該挿入部４の一端から長手方向の外側に向かって漸次拡径するテーパ状部５とを備えている。挿入部４とテーパ状部５とは、例えば、４フッ化エチレン樹脂のような生体親和性が高く、かつ、Ｘ線を透過する材質により一体的に構成されている。
【００１６】
挿入部４のテーパ状部５とは反対側の先端面４ａは、挿入部４の長手方向に直交する方向に対して５°〜６０°の範囲で傾斜している。挿入部４を介して投入された補填材Ａが先端面４ａから骨欠損部Ｂに投入される際の投入方向を先端面４ａの傾斜する方向（図３中矢印）に向けることができるようになっている。
【００１７】
テーパ状部５は、挿入部４の長手軸を中心に片側３０°〜６０°のテーパ角度を有し、最大径が１５ｍｍ〜４０ｍｍである。テーパ状部５の最大径部分の外縁には全周にわたって半径方向外方に延びる一定の厚さ寸法の縁部５ａが設けられている。
【００１８】
把持部材３は、２つの構成部品３Ａ，３Ｂを交差させ、その交差点においてシャフト３Ｃにより相対的に揺動可能に連結することにより、ペンチのような工具状に形成されている。２つの構成部品３Ａ，３Ｂは、それぞれ、一端に円環状の把持部３ａ，３ｂ、他端に細長いハンドル部３ｃ，３ｄを備えている。本実施形態においては、各構成部品３Ａ，３Ｂは、いずれも４フッ化エチレン樹脂により構成されている。
【００１９】
把持部３ａ，３ｂは、図２に示されるように、それぞれ漏斗部材２のテーパ状部５の縁部５ａの外径寸法より若干小さい内径寸法を有している。一対の把持部３ａ，３ｂは、ハンドル部３ｃ，３ｄを近接させる方向に揺動させることにより、相互に近接させられ、それによって、テーパ状部５の縁部５ａを厚さ方向に挟むことができるようになっている。
【００２０】
一方の把持部３ｂには周方向の一部を切り欠いて円環の内外を連通させた切欠６が設けられている。切欠６の幅寸法は、漏斗部材２の挿入部４の外径寸法よりも若干大きく形成されている。これにより、当該把持部３ｂの内側に漏斗部材２を挿脱する際に、漏斗部材２の先端面４ａ側から把持部３ｂに挿入させる必要がなく、挿入部４の長手方向の途中位置を切欠６に通過させて把持部３ｂを挿脱することができるようになっている。
【００２１】
このように構成された本実施形態に係る補填材補填器具１の作用について説明する。
本実施形態に係る補填材補填器具１によれば、一方の把持部３ｂ内に漏斗部材２を配置し、漏斗部材２のテーパ状部５を把持部３ｂに接触させた状態で、作業者がハンドル部３ｃ，３ｄを握って一対の把持部３ａ，３ｂを相互に近接させることにより、図２に示されるように、把持部３ａ，３ｂ間に漏斗部材２のテーパ状部５の縁部５ａを挟むことができる。
【００２２】
これにより、ハンドル部３ｃ，３ｄを握っているだけで、把持部材３と漏斗部材２とを一体化することができる。そして、作業者はハンドル部３ｃ，３ｄを操作して骨欠損部Ｂに漏斗部材２の先端面４ａを容易に挿入配置することができる。漏斗部材２の挿入部４の先端面４ａは傾斜しているので、その傾斜方向に骨補填材Ａを優先的に投入することができる。したがって、作業者はハンドル部３ｃ，３ｄを漏斗部材２の軸線回りに回転させて、先端面４ａの方向を適宜調節することにより、骨補填材Ａの投入方向を調節することができる。
【００２３】
そして、作業者は、漏斗部材２のテーパ状部５から骨補填材Ａ、例えば、βリン酸三カルシウム多孔体顆粒を投入し、図３に示されるように、必要に応じて、投入された骨補填材Ａ顆粒を押出棒７によって押すことにより、骨欠損部Ｂ内で骨補填材Ａ顆粒の位置を移動させ、補填することができる。
【００２４】
この場合において、把持部材３の把持部３ａ，３ｂは、テーパ状部５の最大径寸法より若干小さい内径寸法を有しているので、把持部材３によって漏斗部材２を把持した状態においてもテーパ状部５の開口部は閉塞されず、骨補填材Ａの投入の邪魔になることはない。また、テーパ状部５の挿入部４側を支持する一方の把持部３ｂは挿入部４の外径寸法よりも若干大きな切欠６によって切断されてはいるものの、ほぼ円環状に形成されているので、テーパ状部５に接触している状態では、漏斗部材２を把持部３ｂから容易に取り外すことはできない。したがって、作業者がハンドル部３ｃ，３ｄに加えている力を単に緩めただけでは把持部３ｂから漏斗部材２が外れることはなく、把持部３ｂによって支持された状態に維持される。したがって、作業中の漏斗部材２が不用意に外れてしまうことが防止される。
【００２５】
また、作業者が、把持部材３を漏斗部材２から取り外したいと考えるときには、図４に示されるように、ハンドル部３ｃ，３ｄに加えていた力を緩めて一対の把持部３ａ，３ｂを離間させるように揺動させた後に、図５に示されるように、切欠６が形成されている把持部３ｂを挿入部４の長手方向の途中位置まで移動させて、切欠６を通して挿入部４を把持部３ｂの外側に移動させる。これにより、把持部材３を漏斗部材２から容易に取り外すことができる。この場合に、把持部３ｂから漏斗部材２の挿入部４を長手方向に抜き出す必要がないので、漏斗部材２を骨欠損部Ｂに挿入状態に配置したままの状態で、簡易に取り外すことができる。
【００２６】
そして、把持部材３を取り外した後の漏斗部材２は、その重心位置が中央位置に配置されるので、骨欠損部Ｂに安定して挿入状態に維持される。さらに、把持部材３を取り外すことにより、作業者は漏斗部材２を押さえておかなくても済むので、両手が自由となり、作業性を向上することができるという利点がある。また、把持部材３を取り外すことにより漏斗部材２の周囲にハンドル部３ｃ，３ｄが突出しないので、固定用のピン（図示略）などに干渉せず、漏斗部材２の周囲が煩雑になるのを防止することができる。
【００２７】
その上、本実施形態においては、漏斗部材２が４フッ化エチレン樹脂により構成されているので、Ｘ線を透過可能である。したがって、漏斗部材２が骨欠損部Ｂに挿入状態に留置されている状態で、Ｘ線観察を行っても、漏斗部材２が観察の視野を遮ることがなく、内部の骨欠損部Ｂの状態や骨補填材Ａの補填状態を鮮明に透過観察することができる。
【００２８】
さらに、本実施形態においては、把持部材３も４フッ化エチレン樹脂により構成されているので、把持部材３を漏斗部材２に取り付けた状態でＸ線観察を行っても、把持部材３が観察の視野を遮ることがなく、内部の骨欠損部Ｂの状態や骨補填材Ａの補填状態を鮮明に透過観察することができる。
【００２９】
なお、本実施形態においては、把持部材３を４フッ化エチレン樹脂のようなＸ線透過可能な材質により構成したが、これに限定されるものではなく、他の任意の材質やさらに剛性の高い材質により構成してもよい。また、把持部材３を漏斗部材２に取り付けた状態でＸ線観察を行うために、少なくとも把持部３ａ，３ｂのみをＸ線透過可能な材質により構成することにしてもよい。
また、Ｘ線透過可能な材質としては４フッ化エチレン樹脂に限定されるものではなく、他の任意の材質を採用してもよい。
【図面の簡単な説明】
【００３０】
【図１】本発明の一実施形態に係る補填材補填器具を示す、漏斗部材と把持部材とを取り外した状態の斜視図である。
【図２】図１の補填材補填器具において、漏斗部材に把持部材を取り付けた状態を示す縦断面図である。
【図３】図１の補填材補填器具を用いた骨補填材の補填作業を説明する縦断面図である。
【図４】図１の補填材補填器具において、骨欠損部に挿入状態に配置された漏斗部材から把持部材を取り外す作業を説明する縦断面図である。
【図５】図４の状態から把持部材を引き抜く作業を説明する縦断面図である。
【符号の説明】
【００３１】
Ａ  骨補填材
Ｂ  骨欠損部
１  補填材補填器具
２  漏斗部材
３  把持部材
３Ｃ  シャフト
３ａ，３ｂ  把持部
３ｃ，３ｄ  ハンドル部
４  挿入部
４ａ  先端面（一端）
５  テーパ状部
５ａ  縁部（外縁）
６  切欠
【図１】
2009247694.tif 000003
【図２】
2009247694.tif 000004
【図３】
2009247694.tif 000005
【図４】
2009247694.tif 000006
【図５】
2009247694.tif 000007